(57)【要約】本発明は、接合線や端部のよじれを生じることなく、曲げ剛性を考慮して互いに一体結合された冷凍室槽および冷蔵品槽を形成する連続型内装コンテナと、前記冷凍室槽（６）に設置された蒸発器（９）とを備えた冷蔵庫／冷凍庫ユニットに関する。本発明によれば、冷蔵庫／冷凍庫ユニットは、前記蒸発器として、冷凍室槽の周囲の４つの面を取り囲む巻回ボックス型蒸発器を設けたことを特徴とする。
2008525756.tif 000002
【特許請求の範囲】
【請求項１】
接合線や端部のよじれを生じることなく、曲げ剛性を考慮して互いに一体結合された冷凍室槽（６）および冷蔵品槽（７）を形成する連続型内装コンテナ（５）と、前記冷凍室槽（６）に設置された蒸発器（９）とを備え、
前記蒸発器（９）として、冷凍室槽（６）の周囲の４つの面を取り囲む巻回ボックス型蒸発器を設けたことを特徴とする冷蔵庫／冷凍庫ユニット。
【請求項２】
請求項１の冷蔵庫／冷凍庫ユニットにおいて、
前記蒸発器（９）は、前記冷凍室槽（６）と形状が一致するように堅固に設置されていることを特徴とする冷蔵庫／冷凍庫ユニット。
【請求項３】
請求項１〜２のいずれか１つの冷蔵庫／冷凍庫ユニットにおいて、
前記蒸発器（９）は、前記冷凍室槽（６）に接着されており、特に両面接着テープまたは両面接着フィルムによって前記冷凍室槽（６）に結合されていることを特徴とする冷蔵庫／冷凍庫ユニット。
【請求項４】
請求項１〜３のいずれか１つの冷蔵庫／冷凍庫ユニットにおいて、
特に金属板である平板が前記冷凍室槽（６）と前記蒸発器（９）との間に配置され、蒸発器コイル（１０）がその上に配置されていることを特徴とする冷蔵庫／冷凍庫ユニット。
【請求項５】
請求項１〜４のいずれか１つの冷蔵庫／冷凍庫ユニットにおいて、
前記冷凍室槽（６）と前記冷蔵品槽（７）との間に、前記蒸発器コイル（１０）の厚さよりもわずかに大きい間隙（８）が設けられていることを特徴とする冷蔵庫／冷凍庫ユニット。
【請求項６】
請求項１〜５のいずれか１つの冷蔵庫／冷凍庫ユニットにおいて、
前記冷凍室槽（６）の開口断面は、前記冷蔵品槽（７）と比較して製品の後方にずれていることを特徴とする冷蔵庫／冷凍庫ユニット。
【請求項７】
請求項１〜６のいずれか１つの冷蔵庫／冷凍庫ユニットにおいて、
前記冷蔵庫／冷凍庫ユニットは１ドア式製品であることを特徴とする冷蔵庫／冷凍庫ユニット。
【発明の詳細な説明】
【技術分野】
【０００１】
本発明は、接合線や端部のよじれを生じることなく、曲げ剛性を考慮して互いに一体結合された冷凍室槽および冷蔵品槽を形成する連続型内装コンテナと、冷凍室槽に設置された蒸発器とを備える冷蔵庫／冷凍庫ユニットに関するものである。
【背景技術】
【０００２】
通常は１ドア式の製品として構成されている、連続型内装コンテナを備えた冷蔵庫／冷凍庫ユニットは、多くの点において有利である。まず、冷凍室が分離されていないので、冷凍室と冷蔵品コンテナとの間に、ホコリ等が集まる端部が生じない。また、分割された内装コンテナまたは個別の冷凍室槽を備えた冷蔵庫／冷凍庫ユニットに比較して、より優れた外観を得ることができる。さらに、このような連続型内装コンテナを備えた冷蔵庫／冷凍庫ユニットでは、蒸発器を設置する際に複雑かつ／または費用のかかるシーリングを行う必要がない。
【発明の開示】
【発明が解決しようとする課題】
【０００３】
このような製品において、連続型内装コンテナが冷凍室槽と冷蔵品槽との間の部分に曲げ剛性を有するように製造された場合は、空間条件が厳しいために蒸発器の設置が困難である。一般的に、冷凍室槽と冷蔵品槽との間には、わずかな隙間が残されている。従来より、連続型内装コンテナを有するこのような製品には、Ｕ字型の平板蒸発器が用いられている。このＵ字型の平板蒸発器は、冷凍室槽の後壁および対向する２つの側壁に接触するように、冷凍室槽の後方からクリップのように押し付けられている。しかしながら、この配置では、冷却能力は限られている。
【０００４】
冷凍室をより効率的に冷却するために、場合によっては内部室の連続的な構成を犠牲にして、さらに効率のよい蒸発器が使用されていた。とりわけ、蒸発器槽として、独立したシートメタルボックスの周囲に蒸発器パイプを巻回し、さらにアルミニウムテープで被覆接着したものが提案されている。予め組み立てたこのボックスは、すでに冷蔵品槽から分離されている冷凍室に取り付けられる。しかしながら、冷凍室の設置および密閉のためにスプラッシュフレームが必要であり、その設置端部が内装コンテナ内で見えてしまう。したがって現在まで、この解決方法は満足できるものではなかった。
【課題を解決するための手段】
【０００５】
そこで、本発明の目的は、より効率的に冷凍室を冷却することができる連続型内装コンテナを備えた、上記種類の冷蔵庫／冷凍庫ユニットの改良型を提供することである。連続型内装コンテナを備えた冷蔵庫／冷凍庫ユニットの利点により、より効率的な冷凍室の冷却を行うことができる。
【０００６】
本目的は、請求項１の冷蔵庫／冷凍庫ユニットによって達成される。本発明の好ましい側面により、従属項の主題が構成される。
【０００７】
本発明によれば、厳しい設置空間条件に関係なく、蒸発器として冷凍室槽の周囲の４つの面を取り囲む巻回ボックス型蒸発器が設けられ、連続型内装コンテナは曲げ剛性を考慮して冷蔵品槽に結合された冷凍室槽を有する。従来から使用されていたＵ字型の平板蒸発器と比較して、巻回ボックス型蒸発器は、わずかな間隙をあけて冷蔵品槽に対向する面を含む冷凍室槽の周囲の４つの面を取り囲むように構成されている。これにより、効率を大幅に高めることができる。その結果、相当に高価なコンプレッサ等を使用せずに冷凍室の性能を向上させることができ、より高い環境格付けを得ることができる。したがって、本発明は、一体成形された冷凍室槽が、曲げ剛性を考慮して冷蔵品槽に結合されてなる連続型内装コンテナを備えた冷蔵庫／冷凍庫ユニットにおいて、とりわけＵ字型の平板蒸発器のような特定の蒸発器だけしか使用することができないという先入観を初めて打破するものである。本発明の巻回ボックス型蒸発器により、連続型内装コンテナを備えた冷蔵庫／冷凍庫ユニットの利点と、効率性の高い冷凍室冷却とを組み合わせることができる。
【０００８】
蒸発器は、冷凍室槽に堅固に取り付けられる。蒸発器はいわば、軽くプレス嵌めすることによって冷凍室槽に取り付けることができる。これにより、冷凍室槽と、その形状に適合するように取り付けられた蒸発器の巻回コイルとが完全接触することになり、より良好な熱伝達が行われる。
【０００９】
本発明のさらなる観点において、蒸発器は冷凍室槽に接着される。巻回ボックス型蒸発器は、特に両面接着テープまたは類似の接着フィルムによって、冷凍室槽に結合されていてもよい。このような両面接着テープにより、一方では良好かつ強力な結合が実現でき、また他方では、その他の接着剤を用いる際に留意すべき硬化時間が不要となる。
【００１０】
巻回ボックス型蒸発器の巻回蒸発器コイルは、通常、冷凍室槽に直接取り付けることができる。しかしながら、特に金属板等の平板を、冷凍室槽と蒸発器の巻回パイプとの間に設けておいて、その上にパイプを巻回することが有利である。平板の内側表面は、上記の方法によって内装コンテナの冷凍室槽に接着されていることが有利である。蒸発器の巻回コイルと冷凍室槽との間に設けられた金属板により、冷凍室槽からの熱伝達を全面積にわたって確実に行うことができる。
【００１１】
冷蔵庫／冷凍庫ユニットは、特に１ドア式の製品として構成されており、製品ドアは冷蔵品室と冷凍室との両方にわたって設けられている。これに関連して、冷凍室の開口断面は、冷蔵品槽から後方つまり製品の背面側にずれていてもよい。この製品における冷凍室槽と冷蔵品槽との間の間隙の大きさは、内装コンテナの奥行の４／５より小さい範囲内であってもよい。
【発明を実施するための最良の形態】
【００１２】
本発明を、実施形態および関連する図面を参照して以下に詳細に説明する。
【００１３】
図１は、１ドア式冷蔵庫／冷凍庫ユニットを示す図である。製品ドア２は、前面全体にわたって設けられ、冷蔵品コンテナ３と冷凍室４の両方を覆っている。図１に示すように、冷凍室４は、それ自体が周知であるように、冷蔵品コンテナ３よりも実質的に小さく、冷蔵品コンテナ３の上に配置されている。
【００１４】
図２および図３に示すように、冷蔵庫／冷凍庫ユニット１は、適当な方法によってプラスチックから製造された連続型内装コンテナ５を有している。内装コンテナ５は一体成形品であり、冷凍室４を画定する冷凍室槽と、冷蔵品コンテナ３の境界を定める冷蔵品槽７とを備える。図２に示すように、冷凍室槽６は、手の厚さ程度の間隙８によって冷蔵品槽７から分離されているが、冷蔵品槽７とは一体結合されている。冷凍室槽６の開口断面は、図２に示すように、内装コンテナ５の前面開口部から後方に向かってずれている。冷凍室槽と冷蔵品槽７の間の間隙８の大きさは、内装コンテナ５の奥行の２／３から３／４程度である。このように設計された内装コンテナ５では、冷凍室槽６は曲げ剛性を考慮して冷蔵品槽７に結合されている。つまり、蒸発器を設置する際に湾曲やよじれが生じて間隙８が広がらないようになっている。間隙８は、蒸発器コイルを設置するのに十分な大きさを有している。
【００１５】
図２に示すように、巻回ボックス型蒸発器９は、冷凍室槽６と形状が一致しており、冷凍室槽６に正確に適合するように設置される。冷凍室槽６の周囲は、蒸発器９のコイル１０によって多面的に取り囲まれている。図示した実施形態においては、蒸発器槽の背面壁だけが巻回蒸発器９に覆われていない。蒸発器９は、蒸発器槽を多面的に取り囲むことによって、冷凍室を効率的に冷却することができる。
【００１６】
図２に示すように、巻回蒸発器９は、複数の巻回コイルを備えている。巻回コイルは、湾曲したアルミニウム配管であってもよい。図面では確認できないが、冷凍室槽６と蒸発器９のコイル１０との間に、蒸発器９のコイル１０を配置するための金属板が設けられている。この金属板は、両面接着テープによって冷凍室槽６の壁面に堅固に接着されている。蒸発器９のコイル１０も同様に、上記方法によって金属板に接着されている。このような金属板は、蒸発器９に取り囲まれた冷凍室槽６の４つの面にそれぞれ設けられていてもよい。
【００１７】
蒸発器９は、いわゆる高級蒸発器であってもよく、特に、冷凍室付き１ドア式冷蔵庫ユニットの連続型内装コンテナ５の冷凍室槽６に設置される巻回蒸発器ボックスシステムを有する。この構造では、冷凍室が内装コンテナから分離されていないことが有利である。連続型コンテナは、冷凍室槽６と冷蔵品槽７との間に接合線や屈曲端部等を有していないため、ホコリ等が集まる端部が生じない。また、外観も改善される。さらに、内装コンテナ５に蒸発器または蒸発器ボックスシステムを設置する際に、複雑かつ／または費用のかかるシーリングを行う必要がなくなる。また、蒸発器９は製品の内部空間から見えないようになっている。要約すれば、ユーザに不利益を与えることなく、低コスト部品を用いて高性能蒸発器を提供することができる。
【図面の簡単な説明】
【００１８】
【図１】図１は、本発明の実施形態による冷蔵庫／冷凍庫ユニットの概略全体斜視図である。
【図２】図２は、内装コンテナの冷凍室槽に取り付けられた巻回ボックス型蒸発器を示す図１の冷蔵庫／冷凍庫ユニットの内装コンテナの側面／背面斜視図である。
【図３】図３は、図１および図２の冷蔵庫／冷凍庫ユニットの内装コンテナの正面図である。
【図１】
2008525756.tif 000003
【図２】
2008525756.tif 000004
【図３】
2008525756.tif 000005
【国際調査報告】
2008525756.tif 000006
2008525756.tif 000007
2008525756.tif 000008
2008525756.tif 000009